(57)【要約】【課題】  見栄え、清掃性がよく、収納装置を小物入れとして使用したときに収納装置や小物が傷付いたり異音が発生することを防止できる車両用収納装置の提供。【解決手段】  （１）凹部２１を備える収納装置本体２０と、袋状の可塑性部材３１と可塑性部材３１が取付けられる枠状部材３２とを備え収納装置本体２０に取付けられるカバー３０と、を有する車両用収納装置１０。（２）収納装置本体２０はカップホルダ本体であり、凹部２１にはサポート２２が設けられている。（３）可塑性部材３１は布製である。（４）可塑性部材３１は枠状部材３２に取外し不能に取付けられている。（５）カバー３０は収納装置本体２０に着脱可能に取付けられている。【選択図】        図１
2006205827.tif 000002
【特許請求の範囲】
【請求項１】
凹部を備える収納装置本体と、
袋状の可塑性部材と該可塑性部材が取付けられる枠状部材とを備え前記収納装置本体に取付けられるカバーと、
を有する車両用収納装置。
【請求項２】
前記収納装置本体はカップホルダ本体であり、前記凹部には該凹部に収納される収納物の側面を保持するサポートが設けられている、請求項１記載の車両用収納装置。
【請求項３】
前記可塑性部材は布製である請求項１記載の車両用収納装置。
【請求項４】
前記可塑性部材は前記枠状部材に取外し不能に取付けられている請求項１記載の車両用収納装置。
【請求項５】
前記カバーは前記収納装置本体に着脱可能に取付けられている請求項１記載の車両用収納装置。
【発明の詳細な説明】
【技術分野】
【０００１】
本発明は、車両用カップホルダ等の車両用収納装置に関する。
【背景技術】
【０００２】
特開２００２−１４４９４１号公報は、容器の側面を保持するためのサポート（支持部材）がカップを収納する凹部内に突出した車両用収納装置を開示している。
【０００３】
しかし、上記公報開示の車両用収納装置には、以下の問題点がある。
サポートを直接見ることができるため見栄えが悪い。また、カップの中身がこぼれた時など収納装置を清掃する時にサポートが邪魔になることがある。
上記公報開示の車両用収納装置を小物入れとしても使用する場合、さらにつぎの問題点がある。
凹部が成形品であるため、時計や指輪等の貴金属を入れると収納装置が傷付くおそれがある。また、車の振動等で小物が凹部内で動き、カタカタ音が発生し不快である。凹部に不織布を貼り付けたり植毛するなどして傷付き防止や異音発生防止を図ることも考えられるが、カップの中身がこぼれた時の清掃性が悪くなる。
【特許文献１】特開２００２−１４４９４１号公報
【特許文献２】実開平２−１１４５４３号公報
【発明の開示】
【発明が解決しようとする課題】
【０００４】
本発明が解決しようとする第１の問題点は、見栄えが悪いことである。
本発明が解決しようとする第２の問題点は、清掃性が悪いことである。
本発明が解決しようとする第３の問題点は、収納装置を小物入れとして使用したときに収納装置や小物に傷が付くおそれがあることである。
本発明が解決しようとする第４の問題点は、収納装置を小物入れとして使用したときに異音が発生することである。
本発明の第１の目的は、従来に比べて見栄えがよい車両用収納装置を提供することにある。
本発明の第２の目的は、従来に比べて清掃性がよい車両用収納装置を提供することにある。
本発明の第３の目的は、収納装置を小物入れとして使用したときに収納装置や小物が傷付くことを防止できる車両用収納装置を提供することにある。
本発明の第４の目的は、収納装置を小物入れとして使用したときに異音が発生することを防止できる車両用収納装置を提供することにある。
【課題を解決するための手段】
【０００５】
上記目的を達成する本発明はつぎの通りである。
（１）  凹部を備える収納装置本体と、
袋状の可塑性部材と該可塑性部材が取付けられる枠状部材とを備え前記収納装置本体に取付けられるカバーと、
を有する車両用収納装置。
（２）  前記収納装置本体はカップホルダ本体であり、前記凹部には該凹部に収納される収納物の側面を保持するサポートが設けられている、（１）記載の車両用収納装置。
（３）  前記可塑性部材は布製である（１）記載の車両用収納装置。
（４）  前記可塑性部材は前記枠状部材に取外し不能に取付けられている（１）記載の車両用収納装置。
（５）  前記カバーは前記収納装置本体に着脱可能に取付けられている（１）記載の車両用収納装置。
【発明の効果】
【０００６】
上記（１）〜（５）の車両用収納装置では、カバーが設けられているので、収納装置本体がカップホルダ本体であり凹部にサポートが設けられている場合であっても、カバーでサポートを隠すことができる。そのため、サポートを直接見ることができる場合に比べて見栄えがよい。
また、カバーが収納装置本体に着脱可能に取付けられている場合、カバーが汚れてもカバーを収納装置本体から取り外して洗うことができ、収納装置の清掃性がよい。
また、カバーが設けられているので、収納装置を小物入れとして使用する場合でも、カバーの袋状の可塑性部材に小物を入れることで収納装置や小物に傷が付くことを防止することができる。
また、カバーが設けられているので、収納装置を小物入れとして使用する場合でも、カバーの袋状の可塑性部材に小物を入れることで小物が収納装置本体に直接当ることを防止できる。そのため、異音が発生することを防止できる。
【発明を実施するための最良の形態】
【０００７】
本発明実施例の車両用収納装置を、図１〜図５を参照して説明する。
本発明実施例の車両用収納装置（以下、単に収納装置という）１０は、図１に示すように、車両用カップホルダである。収納装置１０は、１個のカップ等Ｃのみを保持可能な１個置きのカップホルダであってもよく、図５に示すように２個のカップ等Ｃを保持可能な２個置きのカップホルダであってもよく、３個以上のカップ等Ｃを保持可能なカップホルダであってもよい。収納装置１０は、車両用小物入れとしても使用できる。
収納装置１０は、たとえば、車両の内装部材である、コンソール本体、インスツルメントパネル等１に配置される。
収納装置１０は、図１に示すように、凹部２１を備える収納装置本体２０と、袋状の可塑性部材３１と可塑性部材３１が取付けられる枠状部材３２とを備え収納装置本体２０に取付けられるカバー３０と、を有する。
【０００８】
収納装置本体２０は、カップホルダ本体である。収納装置本体２０は、たとえば樹脂製である。収納装置本体２０は、凹部２１に収納されるカップ等Ｃの側面を保持するサポート２２を少なくとも１個有する。サポート２２は、凹部２１の側壁に設けられるサポート用穴２１ａを通って凹部２１内に突出可能とされている。
収納装置本体２０には、凹部２１の開口を開閉可能なドア４０が取付けられている。ドア４０は、収納装置本体２０に対して、凹部２１の開口を閉塞する閉位置と該閉位置から上方に回動して凹部２１の開口を開放する開位置とに回動可能である。ドア４０は、アウタードア４１とインナードア４２を有する。
凹部２１の開口の周縁には、段差部２３が形成されている。段差部２３には、枠状部材３２の爪３２ａが係脱可能な爪受け部２３ａが形成されている。爪受け部２３ａは、爪３２ａと同数設けられている。
【０００９】
カバー３０は、可塑性部材３１が枠状部材３２に取付けられた状態で、収納装置本体２０に取付けられる。
可塑性部材３１は、たとえば布製である。ただし、可塑性部材３１は布製に限定されるものではなく、たとえばゴム製であってもよい。可塑性部材３１には、意匠性向上のために、模様や色彩が付加されていてもよい。可塑性部材３１が布製である場合、図２に示すように、可塑性部材３１は袋状に縫われている。
可塑性部材３１は、枠状部材３２に取外し不能に取付けられていてもよく、枠状部材３２に着脱可能に取付けられていてもよい。
【００１０】
枠状部材３２は、たとえば樹脂製である。枠状部材３２は、周方向に全周にわたって連続して設けられている。枠状部材３２は、１部品構成であってもよく、複数部品構成であってもよい。枠状部材３２は爪受け部２３ａに係脱可能な爪３２ａを有する。爪３２ａは、１個のみ設けられていてもよく、複数個設けられていてもよい。
カバー３０は、図３、図４に示すように、爪３２ａを爪受け部２３ａに係合させることで、収納装置本体２０に取付けられる。カバー３０が収納装置本体２０に取付けられているとき、可塑性部材３１は凹部２１内に位置している。カバー３０が収納装置本体２０に取付けられているとき、枠状部材３２の上面に閉位置にあるドア４０が当接する。
【００１１】
本発明実施例の作用、効果を説明する。
（ａ）収納装置１０をカップホルダとして使用する場合（図３参照）
カバー３０を収納装置本体２０に取付けた状態で、カップ等Ｃを凹部２１内に収納する。可塑性部材３１が布製等であるため、カバー３０がサポート２２の作用を妨げることはない。
（ｂ）収納装置１０を小物入れとして使用する場合（図４参照）
カバー３０を収納装置本体２０に取付けた状態で、指輪等の小物Ｓを凹部２１内に収納する。袋状の可塑性部材３１が設けられているため、可塑性部材３１の袋を小物入れ袋として使用できる。
【００１２】
本発明実施例では、カバー３０が設けられているので、カバ−３０が設けられていない場合に比べて、収納装置１０の意匠性が向上する。
カバー３０が設けられているので、カバー３０でサポート２２を隠すことができる。そのため、サポートを直接見ることができる場合に比べて見栄えがよい。
また、カバー３０が収納装置本体２０に着脱可能に取付けられているので、カバー３０が汚れてもカバー３０を収納装置本体２０から取り外して洗うことができる。そのため、収納装置１０の清掃性がよい。
また、カバー３０が設けられているので、収納装置１０を小物入れとして使用する場合でも、袋状の可塑性部材３１に小物を入れることで収納装置１０や小物Ｓに傷が付くことを防止することができる。
また、カバー３０が設けられているので、収納装置１０を小物入れとして使用する場合でも、袋状の可塑性部材３１に小物Ｓを入れることで小物Ｓが収納装置本体２０に直接当ることを防止できる。そのため、小物が直接収納装置本体に当る場合に比べて、異音が発生することを防止できる。
【図面の簡単な説明】
【００１３】
【図１】本発明実施例の車両用収納装置の断面図である。
【図２】本発明実施例の車両用収納装置のカバーの斜視図である。
【図３】本発明実施例の車両用収納装置にカップを収納したときの、車両用収納装置の断面図である。
【図４】本発明実施例の車両用収納装置を小物入れとして使用したときの、車両用収納装置の断面図である。
【図５】本発明実施例の車両用収納装置が２個置きカップホルダである場合の斜視図である。
【符号の説明】
【００１４】
１０  収納装置
２０  収納装置本体
２１  凹部
２１ａ  サポート用穴
２２  サポート
２３  段差部
２３ａ  爪受け部
３０  カバー
３１  可塑性部材
３２  枠状部材
３２ａ  爪
４０  ドア
４１  アウタードア
４２  インナードア
【図１】
2006205827.tif 000003
【図２】
2006205827.tif 000004
【図３】
2006205827.tif 000005
【図４】
2006205827.tif 000006
【図５】
2006205827.tif 000007